(57)【要約】【課題】成形時の寸法のばらつきや組立ばらつきに対応するための隙間が外側部材の対向面に設けられていても内側部材の直接の露出がなく、デザイン性も良好な、筐体を構成する複層部材の突合せ構造を提供する。【解決手段】ケースユニット２０と電池ケースユニット３０の突合せ部では、ケースユニット外側部材２１のクリアランス部８１の隙間を維持し、かつケースユニット外側部材の端面２３と電池ケースユニット外側部材の端面３３との形状を傾斜面とする。これによって、ケースユニット２０と電池ケースユニット３０との隙間が広がる方向にずれても、突合せ部の隙間を小さく見せ、それぞれの内側の部材であるケースユニット内側部材２２、電池ケースユニット内側部材３２は外観上見えないようになる。【選択図】図３
2007124116.tif 000002
【特許請求の範囲】
【請求項１】
機器の筐体を構成する複層部材の突合せ構造であって、
前記筐体における、外側部材と内側部材とが固定されて構成された第１の複層部材と、外側部材と内側部材とが固定されて構成されて前記第１の複層部材と隣接して設けられた第２の複層部材との突合せ部分が、
前記第１の複層部材の外側部材の突合せ面と、前記第２の複層部材の外側部材の突合せ面とが互いに整合する形状で対向し、それぞれにおいて上面と端面との接線と下面と端面との接線とが、上面に平行な方向に関して離れた位置にあることを特徴とする、筐体を構成する複層部材の突合せ構造。
【請求項２】
上面と端面との接線と下面と端面との接線とが、上面に平行な方向に関して離れている距離は、前記第１の複層部材の端面と前記第２の複層部材の端面との間隔よりも大きい、請求項１に記載の筐体を構成する複層部材の突合せ構造。
【請求項３】
前記突合せ部分において、前記第１の複層部材の外側部材の突合せ面と前記第２の複層部材の外側部材の突合せ面とが互いに平行な傾斜面である、請求項１または請求項２に記載の筐体を構成する複層部材の突合せ構造。
【請求項４】
前記突合せ部分において、前記第１の複層部材の外側部材の突合せ面と前記第２の複層部材の外側部材の突合せ面とが互いに整合する段差を有する、請求項１または請求項２に記載の筐体を構成する複層部材の突合せ構造。
【請求項５】
前記第１の複層部材と前記第２の複層部材とは互いに摺動可能である、請求項１から請求項４のいずれか１項に記載の筐体を構成する複層部材の突合せ構造。
【請求項６】
前記機器が電子機器である、請求項１から請求項５のいずれか１項に記載の筐体を構成する複層部材の突合せ構造。
【請求項７】
前記電子機器が携帯端末機器である、請求項６に記載の筐体を構成する複層部材の突合せ構造。
【発明の詳細な説明】
【技術分野】
【０００１】
本発明は筐体を構成する複層部材の突合せ構造に関し、特に間隙を有して対向する複層部材の突合せ構造に関する。
【背景技術】
【０００２】
例えば電子機器のような装置の筐体は複数の部材を整合させて構成されており、特に内装部品のケースカバーのような開閉動作を行う部分などでは複層の部材を組み合わせて構成される場合も多い。
【０００３】
図５は従来の携帯端末機器の下側筐体の部分断面図である。携帯機器端末６は図１、図２に示されるように、内面にキーボードを有する下側筐体と内面に表示部を有する上側筐体とがヒンジ部を中心に回動可能に結合されている。図５は下側筐体をキーボード部を下側としたときの部分断面図である。図５で上部に示される下部筐体の裏側には内部に格納された電池１５の出し入れを行うための電池ケースユニット７０がケースユニット６０と係合するように設けられている。電池ケースユニット７０は電池１５の出し入れを行うためにケースユニット６０に対し摺動可能に係合されている。
【０００４】
筐体を構成するケースユニット６０はケースユニット外側部材６１とケースユニット内側部材６２とが接合された２層構造で構成されている。電池ケースユニット７０も電池ケースユニット外側部材７１と電池ケースユニット内側部材７２とが接合された２層構造で構成されている。ケースユニット外側部材６１と電池ケースユニット外側部材７１の対向する端面は、何れも表面に対して垂直なケースユニット外側部材の端面６３と電池ケースユニット外側部材の端面７３となっている。このように筐体を構成する複層部材の突合せ部の外側部材の対向する端面を、何れも表面に対して垂直な面で構成することは周知の技術であり、特にこの構成に関する先行技術文献は見当たらない。
【発明の開示】
【発明が解決しようとする課題】
【０００５】
図５の筐体の部分断面図に示されるように、ケースユニット６０と電池ケースユニット７０は、何れも外側部材６１、７１と内側部材６２、７２とが一体化されて複層部材として形成されている。両者の突合せ部分におけるケースユニット外側部材６１と電池ケースユニット外側部材７１との対向する端面は、何れも表面に垂直なケースユニット外側部材の端面６３と電池ケースユニット外側部材の端面７３となっている。
【０００６】
ケースユニット内側部材６２と電池ケースユニット内側部材７２の対向する端面の間は、通常成形時の寸法のばらつきによる干渉を回避するために隙間が必要になる。ケースユニット外側部材６１と電池ケースユニット外側部材７１との突合せ部分においては、それ自体の成形時の寸法のばらつきに加え、ケースユニット内側部材６２と電池ケースユニット内側部材７２との組立時のばらつきが加わる。その影響を避けるため、その隙間はケースユニット内側部材６２と電池ケースユニット内側部材７２との隙間よりも大きく設定する必要がある。そのため最悪の場合その隙間の間からケースユニット内側部材６２あるいは電池ケースユニット内側部材７２が大きく露出してしまい、デザイン性が損なわれるという問題があった。
【０００７】
本発明の目的は、成形時の寸法のばらつきや組立ばらつきに対応するための隙間が外側部材の対向面に設けられていても内側部材の直接の露出がなく、デザイン性も良好な、筐体を構成する複層部材の突合せ構造を提供することにある。
【課題を解決するための手段】
【０００８】
本発明の筐体を構成する複層部材の突合せ構造は、
機器の筐体を構成する複層部材の突合せ構造であって、筐体における、外側部材と内側部材とが固定されて構成された第１の複層部材と、外側部材と内側部材とが固定されて構成されて第１の複層部材と隣接して設けられた第２の複層部材との突合せ部分が、第１の複層部材の外側部材の突合せ面と、第２の複層部材の外側部材の突合せ面とが互いに整合する形状で対向し、それぞれにおいて上面と端面との接線と下面と端面との接線とが、上面に平行な方向に関して離れた位置にあることを特徴とする。上面と端面との接線と下面と端面との接線とが、上面に平行な方向に関して離れている距離は、第１の複層部材の端面と第２の複層部材の端面との間隔よりも大きいことが望ましい。
【０００９】
突合せ部分において、第１の複層部材の外側部材の突合せ面と第２の複層部材の外側部材の突合せ面とが互いに平行な傾斜面であってもよく、第１の複層部材の外側部材の突合せ面と第２の複層部材の外側部材の突合せ面とが互いに整合する段差を有してもよく、第１の複層部材と第２の複層部材とは互いに摺動可能であってもよく、機器が電子機器であってもよく、電子機器が携帯端末機器であってもよい。
【００１０】
筐体における第１の複層部材と、第１の複層部材と隣接して設けられた第２の複層部材とはいずれも外側部材と内側部材とが固定されて構成されている。第１の複層部材と第２の複層部材との突合せ部分において、第１の複層部材の外側部材の突合せ面と第２の複層部材の外側部材の突合せ面とは互いに整合する形状で対向している。それぞれの突合せ面が対向する斜面となり、あるいは段差を有することにより、上面と端面との接線と下面と端面との接線とが、上面に平行な方向に関して離れた位置となる。この構造によって外側部材の突合せ面に隙間を設けても、外部に対し内側部材の表面が露出しない。
【発明の効果】
【００１１】
本発明の筐体を構成する複層部材の突合せ構造は、外側部材と内側部材で構成される複層部材間の突合せ部分において、それぞれの外側部材の突合せ面が互いに対向する斜面となり、あるいは互いに対向する段差を有する。それによって、上面と端面との接線と下面と端面との接線とが上面と平行な方向に関して離れているので、外側部材の突合せ面に隙間を設けても外部に対し内側部材の表面の直接の露出がなく良好なデザイン性が得られるという効果がある。
【発明を実施するための最良の形態】
【００１２】
本発明の筐体を構成する複層部材の突合せ構造は、それぞれが別の工程によって作成された部材を突き合せて一つの部品として筐体を構成する場合の複層部材の突合せ構造である。それぞれの部材の成形や組立ばらつきによって突合せ部に発生する隙間は一定とならないことが多い。その場合に外側の突合せ部に発生する隙間の両側の部材の端面の形状を傾斜面などにすることによって突合せ部の隙間を小さく見せ、かつ内側の構成部品が端面間の隙間を通して露出されるのを少なくすることを特徴とする。
【００１３】
次に、本発明の実施の形態について図面を参照して説明する。この実施の形態では、筐体を一般的な折畳み型の携帯端末機器の筐体を例として説明する。図１は本発明の第１の実施の形態の筐体を構成する複層部材の突合せ構造を有する一般的な折畳み型の携帯端末機器を開放状態にした斜視図である。図２は図１の折畳み型の携帯端末機器を閉じた状態の斜視図であり、（ａ）は裏返した状態、（ｂ）は（ａ）の電池ケースユニットを開いている状態である。図３は図２のＡ−Ａ断面の部分断面図である。
【００１４】
まず図３を参照して本発明の筐体を構成する複層部材の突合せ構造について詳細に説明する。内部の部品の保護と意匠性を目的として、一般的に熱可塑性樹脂にて成形されているケースユニット外側部材２１とケースユニット内側部材２２とが熱溶着等の手段にて固定されて一体化して複層部材を形成している。この複層部材がケースユニット２０である。また、電池１５の出し入れを可能とし、かつ保護する目的で、電池ケースユニット外側部材３１、および電池ケースユニット内側部材３２が熱溶着等の手段にて固定され一体化して複層部材を形成している。この複層部材は電池ケースユニット３０であり、ケースユニット２０のケースユニット内側部材２２に形成された凹部に実装されている。また図３にはその他の構成も図示されているが本発明の筐体を構成する複層部材の突合せ構造には直接関係がないので説明は省略する。
【００１５】
本発明の実施の形態では電池１５を保護する電池ケースユニット３０とケースユニット２０との関係で説明するが、これに限定されるものではなく携帯端末機器１の隣あう複層部材の突合せ構造であればどのようなものでも同様に適用することができる。また、機器は携帯端末機器に限定されるものではなく、電子機器を含む機器全般の筐体の隣あう複層部材の突合せ構造であればどのような機器であっても同様に適用することができる。
【００１６】
次に、本発明の筐体を構成する複層部材の突合せ構造の作用について図３を参照して詳細に説明する。上述のケースユニット外側部材２１とケースユニット内側部材２２とからなるケースユニット２０と、電池ケースユニット外側部材３１と電池ケースユニット内側部材３２からなる電池ケースユニット３０との間には隙間が設けられている。具体的には電池ケースユニット外側部材３１との間に形成されるケースユニット外側部材２１のクリアランス部８１と、電池ケースユニット内側部材３２との間に形成されるケースユニット内側部材のクリアランス部８２である。
【００１７】
ケースユニット内側部材２２と電池ケースユニット内側部材３２の対向する端面の間には成形時の寸法のばらつきを考慮して両者が干渉することがないように、ケースユニット内側部材のクリアランス部８２が設けられている。しかし、ケースユニット外側部材２１と電池ケースユニット外側部材３１の対向する端面の間のクリアランス部８１をケースユニット内側部材のクリアランス部８２と同一にしてしまうと問題を生ずる。それは、ケースユニット外側部材２１および電池ケースユニット外側部材３１の成形時の寸法ばらつきに加え、ケースユニット内側部材２２と電池ケースユニット内側部材３２の組み合わせ時の組立ばらつきにより、隙間が少なくなる方向に動くことがあるからである。隙間が少なくなる方向に動くとケースユニット外側部材２１と電池ケースユニット外側部材３１とが干渉する恐れがあるため、この実施の形態の場合、電池ケースユニット３０がケースユニット２０に挿入できなくなる可能性がある。この問題を回避するために、ケースユニット外側部材のクリアランス部８１をケースユニット内側部材のクリアランス部８２より大きく設定する必要があり、成形時の寸法のばらつきに加えて、組立ばらつきを配慮し設計する必要がある。そのため、このケースユニット外側部材２１のクリアランス部８１の隙間を維持し、かつケースユニット外側部材の端面２３と電池ケースユニット外側部材の端面３３との形状を対向する傾斜面とする。これによって、電池ケースユニット３０とケースユニット２０との隙間が広がる方向にずれても、突合せ部の隙間を小さく見せ、それぞれの内側の部材であるケースユニット内側部材２２、電池ケースユニット内側部材３２は外観上見えないようになる。
【００１８】
次に本発明の第２の実施の形態の筐体を構成する複層部材の突合せ構造について説明する。図４は第２の実施の形態における図２のＡ−Ａ断面の部分断面図である。第２の実施の形態では、ケースユニットの外部部材の端面４３の形状と電池ケースユニットの外部部材の端面５３の形状とが第１の実施の形態と異なるだけなので、同一の構成については同一の符号を用い詳細な説明は省略する。
【００１９】
第２の実施の形態では、第１の実施の形態では傾斜面であったケースユニット外側部材の端面２３と電池ケースユニット外側部材の端面３３との形状を、互いに対向する中間に段差を有する垂直面とする。図４に示すようにケースユニットの外側部材の端面４３と、電池ケースユニットの外側部材の端面５３とは、中間に段差を有し互いに整合する垂直面となっている。これによって、電池ケースユニット３０とケースユニット２０との隙間が広がる方向にずれても、突合せ部の隙間を小さく見せ、それぞれの内側の部材であるケースユニット内側部材２２、電池ケースユニット内側部材３２は外観上見えないようになる。このように、第２の実施の形態においても第１の実施の形態と同様に内側部材は見えない構成となっているので第１の実施の形態と同様の効果が得られる。
【図面の簡単な説明】
【００２０】
【図１】本発明の第１の実施の形態の筐体を構成する複層部材の突合せ構造を有する一般的な折畳み型の携帯端末機器を開放状態にした斜視図である。
【図２】図１の折畳み型の携帯端末機器を閉じた状態の斜視図であり、（ａ）は裏返した状態、（ｂ）は（ａ）の電池ケースユニットを開いている状態である。
【図３】図２のＡ−Ａ断面の部分断面図である。
【図４】第２の実施の形態における図２のＡ−Ａ断面の部分断面図である。
【図５】従来の携帯端末機器の下側筐体の部分断面図である。
【符号の説明】
【００２１】
１、４、６    携帯端末機器
１５    電池
２０、４０、６０    ケースユニット
２１、４１、６１    ケースユニット外側部材
２２、６２    ケースユニット内側部材
２３、４３、６３    ケースユニット外側部材の端面
３０、５０、７０    電池ケースユニット
３１、５１、７１    電池ケースユニット外側部材
３２、７２    電池ケースユニット内側部材
３３、５３、７３    電池ケースユニット外側部材の端面
８１、８３    ケースユニット外側部材のクリアランス部
８２    ケースユニット内側部材のクリアランス部
【図１】
2007124116.tif 000003
【図２】
2007124116.tif 000004
【図３】
2007124116.tif 000005
【図４】
2007124116.tif 000006
【図５】
2007124116.tif 000007